(57)【要約】      （修正有）【課題】泡の塗り広げやすさが良好な泡状洗浄剤組成物の提供。【解決手段】（Ａ）式（１）で示される化合物を２〜１５質量％、（Ｂ）エチレンオキシドの平均付加モル数が６０〜１００モルであるポリオキシエチレンソルビタンモノラウリン酸エステルを１〜１０質量％、および（Ｃ）２−メタクリロイルオキシエチルホスホリルコリンとブチルメタクリレートから得られる共重合体を０．０００１〜０．１質量％含有する、泡状洗浄剤組成物。Ｒ−Ｎ（ＣＨ３）−（ＣＨ２）ｎ−Ｘ・・・（１）（Ｘは−ＣＯＯＭ又は−ＳＯ３Ｍ；ＲはＣ８〜１８のアシル基；ｎは１又は；Ｍはアルカリ金属又はアルカノールアミン）【選択図】なし【特許請求の範囲】
【請求項１】
（Ａ）式（１）で示される化合物を２〜１５質量％、
（Ｂ）エチレンオキシドの平均付加モル数が６０〜１００モルであるポリオキシエチレンソルビタンモノラウリン酸エステルを１〜１０質量％、および
（Ｃ）２−メタクリロイルオキシエチルホスホリルコリンとブチルメタクリレートから得られる共重合体を０．０００１〜０．１質量％
含有していることを特徴とする、泡状洗浄剤組成物。
【化１】
2018080279.tif 000006
（式（１）中、
Ｒは炭素数８〜１８のアシル基であり、
ｎは１または２の整数であり、
Ｍはアルカリ金属原子またはアルカノールアミンを示す。）
【発明の詳細な説明】
【技術分野】
【０００１】
本発明は、泡状洗浄剤組成物に関し、詳細には泡の伸び広がりおよびすべり性が良好な泡状洗浄剤組成物に関する。
【背景技術】
【０００２】
泡沫状洗浄剤は、固形や液体洗浄剤と比べて良質な泡を誰でも手軽に得ることができることから、様々な用途の洗浄剤に使用されている。特に、ノンガスフォーマー容器にて良質な泡を吐出するためには、洗浄剤の粘度を低くする必要があるため、界面活性剤の濃度も、液体洗浄剤に比べ低濃度となる。そのため、これまでに濃密でクリーミーな泡を吐出させるべく、検討がなされてきた。
【０００３】
泡で吐出される洗浄剤としては、例えば、特許文献１では、アミノ酸系界面活性剤とクラフト点が２０℃以上のアニオン界面活性剤と多価アルコールを含む洗浄剤で弾力性の高い泡が得られることが開示されている。
【０００４】
また、特許文献２では高級脂肪酸塩と３０℃で固形状のポリオキシエチレンソルビタン脂肪酸エステルと両性界面活性剤および多価アルコールを含み、泡で吐出することを特徴とする洗浄剤が開示されている。
【０００５】
さらに特許文献３では、アミノ酸系界面活性剤、ポリオキシエチレン（８０）ソルビタンラウリン酸エステルおよび両性界面活性剤を含有する泡吐出型の洗顔料が開示されている。
【先行技術文献】
【特許文献】
【０００６】
【特許文献１】特開２００６−１８３０３９
【特許文献２】特開２０１４−１５６５３７
【特許文献３】特開２０１６−００８２０６
【発明の開示】
【発明が解決しようとする課題】
【０００７】
一方で、近年、美容意識の高まりにより、入浴時に身体を洗浄するさいに肌への負担を考慮して、スポンジやタオルを使用せず手で洗う人が増えている。これにより、直接泡を手で肌に広範囲に塗り広げるのに適した泡が求められるようになった。これまで求められてきた泡の性質としては高弾力性が挙げられるが、泡の弾力が強すぎると、塗り広げにくくなることがある。逆にゆるい泡だと、塗り広げる間に消えてしまう。
【０００８】
このように、手で塗り広げるのに適度な泡という視点での検討は、これまでなされてきていない。特許文献記載の洗浄剤も、いずれも濃密で高弾力の泡であり、泡の塗り広げやすさや伸ばしやすさという点では不十分なところがあった。こうした洗浄剤は、弾力性の高い泡は顔などの狭い範囲に塗布する場合は良いが、体のように広範囲に塗布する必要がある場合、塗り広げにくいことが考えられる。
【０００９】
本発明の課題は、泡の塗り広げやすさが良好な泡状洗浄剤組成物を提供することである。
【課題を解決するための手段】
【００１０】
本発明者らは、（Ａ）式（１）で示される化合物と（Ｂ）エチレンオキシドの平均付加モル数が６０〜１００モルであるポリオキシエチレンソルビタンモノ脂肪酸エステルと（Ｃ）２−メタクリロイルオキシエチルホスホリルコリンとブチルメタクリレートから得られる共重合体を特定量、特定の比率で含ませることにより、良好な塗り広げやすさや伸ばしやすさを有する泡が得られる洗浄剤組成物が得られることを見出した。
【００１１】
即ち、本発明に係る泡状洗浄剤組成物は、
（Ａ）式（１）で示される化合物を２〜１５質量％、
（Ｂ）エチレンオキシドの平均付加モル数が６０〜１００モルであるポリオキシエチレンソルビタンモノラウリン酸エステルを１〜１０質量％、および
（Ｃ）２−メタクリロイルオキシエチルホスホリルコリンとブチルメタクリレートから得られる共重合体を０．０００１〜０．１質量％
含有していることを特徴とする。
【化１】
2018080279.tif 000002
（式（１）中、
Ｒは炭素数８〜１８のアシル基であり、
ｎは１または２の整数であり、
Ｍはアルカリ金属原子またはアルカノールアミンを示す。）
【発明の効果】
【００１２】
本発明の泡状洗浄剤組成物によれば、フォーマー容器から吐出することで、伸びやすべり性の良好な泡を提供し、手で顔や体を洗浄する際の肌への負担を軽減することができる。
【発明を実施するための形態】
【００１３】
以下、本発明の実施形態を説明する。
［成分（Ａ）］
成分（Ａ）は、上記した式（１）で示される化合物である。
式（１）において、Ｒは、炭素数８〜１８の脂肪酸に由来するアシル基である。この脂肪酸は、飽和脂肪酸であってよく、不飽和脂肪酸であってよく、一種もしくは二種以上を含む混合脂肪酸であってよい。
こうしたアシル基としては、ヤシ油脂肪酸アシル基、パーム核油脂肪酸アシル基、カプロイル基、ラウロイル基、ミリストイル基、パルミトイル基、ステアロイル基、オレオイル基等が挙げられる。Ｒは、好ましくは、ラウロイル基、ミリストイル基、ヤシ油脂肪酸アシル基、パーム核油脂肪酸アシル基であり、特に好ましくは、ラウロイル基、ヤシ油脂肪酸アシル基、パーム核油脂肪酸アシル基である。
【００１４】
式（１）において、ｎは１または２の整数であり、Ｘはカルボン酸塩（−ＣＯＯＭ）、またはスルホン酸塩（−ＳＯ３Ｍ）を示す。また、Ｍはアルカリ金属原子またはアルカノールアミンを示す。アルカリ金属原子としては、例えば、ナトリウム、カリウム等が挙げられる。また、アルカノールアミンとしては、例えば、モノエタノールアミン、ジエタノールアミン、トリエタノールアミン等が挙げられる。これらのうち好ましくは、ナトリウム、カリウムである。
【００１５】
［成分（Ｂ）］
（Ｂ）成分は、エチレンオキシドの平均付加モル数が６０〜１００モルであるポリオキシエチレンソルビタンモノラウリン酸エステルである。
【００１６】
エチレンオキシドの平均付加モル数は６０〜１００モルであり、好ましくは６５〜９５モル、より好ましくは７０〜９０モルである。エチレンオキシドの付加モル数が６０モル未満であると、泡の延びが低下してしまう。エチレンオキシドの付加モル数が１００モルを超えると、フォーマーからの吐出性が悪化する。
【００１７】
［成分（Ｃ）］
成分（Ｃ）は、２−メタクリロイルオキシエチルホスホリルコリンとブチルメタクリレートから得られる共重合体である。
２−メタクリロイルオキシエチルホスホリルコリンとブチルメタクリレートとのモル比率の合計を１００モル％としたとき、２−メタクリロイルオキシエチルホスホリルコリンのモル比率は、５０〜９０モル％とすることが好ましく、６０〜８０モル％とすることが更に好ましい。
【００１８】
［組成比率］
本発明の洗浄剤組成物においては、成分（Ａ）の含有量は２〜１５質量％とする。成分（Ａ）の含有量が２質量％未満の場合は、泡立ちが低すぎて十分に塗り広げることができないので、２質量％以上とするが、４質量％以上が更に好ましい。また、成分（Ａ）の含有量は、１５質量％以下とするが、１０質量％以下が更に好ましい。
【００１９】
成分（Ｂ）の含有量は１〜１０質量％とする。成分（Ｂ）の含有量が１質量％未満の場合は、塗り広げている間に泡が消えてしまうことがあるので、１質量％以上とするが、２質量％以上が更に好ましい。また、成分（Ｂ）の含有量が１０質量％を超えると伸びやすさが低下するので、１０質量％以下とするが、６質量％以下が更に好ましい。
【００２０】
成分（Ａ）と成分（Ｂ）の合計質量が組成物の合計質量の２５質量％以下であることが望ましく、これによって特に良好なクリーミーさを得ることができる。この観点からは、成分（Ａ）と成分（Ｂ）の合計質量が組成物の合計質量の７〜１４質量％であることが更に好ましい。
【００２１】
成分（Ａ）の含有量の成分（Ｂ）の含有量に対する比率（（Ａ）／（Ｂ））を、７５／２５〜２０／８０とすることによって、良好なすべり性を得ることができる。中でも、（Ａ）／（Ｂ）を６０／４０〜４０／６０とすることが更に好ましい。
【００２２】
成分（Ｃ）の含有量を０．０００１〜０．１質量％とすることによって、すべり性が特に良好となる。この観点からは、成分（Ｃ）の含有量を０．００１〜０．０５質量％とすることが更に好ましい。
【００２３】
成分（Ｂ）の含有量（質量％）と（Ｃ）成分の含有量（質量％）との積が０．００５〜０．０２質量％２となるように（Ｃ）成分を配合することが好適である。
【００２４】
本発明の泡状洗浄剤組成物は、その他の肌への効果を付与するために、本発明効果を損なわない程度に、その他の油性成分、界面活性剤、水溶性高分子、防腐剤など各種機能成分を配合してもよい。
【００２５】
本発明の洗浄剤組成物の用途は、身体洗浄料、洗顔料、手指洗浄料等が挙げられる。
【実施例】
【００２６】
以下、本発明を実施例および比較例により具体的に説明する。
〔組成物１の調製例〕
表１のＡ-１成分を３質量％、（Ｂ）成分のポリオキシエチレン（８０）ソルビタンモノラウリン酸エステル４質量％および（Ｃ）成分の２−メタクリロイルオキシエチルホスホリルコリン８０モル％とブチルメタクリレート２０モル％から得られる共重合体５％水溶液（ＬＩＰＩＤＵＲＥ−ＰＭＢ（Ｐｈ１０））を０．０５質量％、水を９２．９５質量％混合して組成物１を得た。
【００２７】
〔組成物２〜１１の調製例〕
また、組成物１と同様に、表２、表３に示すとおり各成分を所定の割合で混合し、組成物２〜組成物１１を調製した。
ただし、表３の（Ｃ’）成分であるＬＩＰＩＤＵＲＥ−ＨＭ（Ｐｈ１０）は、２−メタクリロイルオキシエチルホスホリルコリンのホモポリマー5％水溶液である。
【００２８】
［泡のクリーミーさの評価］
パネラー１０名により調製した各洗浄剤組成物を温度２５℃に調温した後に、フォーマー容器より吐出した泡を手に取り、泡の見た目および感触によりクリーミーさを下記評価基準に基づいて評価を行った。
○：  きめが細かくしっかりした泡でクリーミーである
△：  きめがやや粗くしっかりした泡だがクリーミーさにやや乏しい
×：  きめが粗くゆるい泡でクリーミーではない
【００２９】
〔泡の塗り広がり性の評価〕
調製した各洗浄剤組成物を温度２５℃に調温した後に、フォーマー容器より吐出した泡を２０ｃｍ３量り取り、面積１００ｃｍ２の台の表面全体に塗り広げたときの泡の状態を観察し、下記評価基準に基づいて評価を行なった。
◎：  全面均一に泡が塗り広がった
○：  泡は全面に塗れたが、塗っている間に一部の泡が消えた
×：  泡が全面には塗れなかった
【００３０】
〔泡のすべり性の評価〕
パネラー１０人により、調製した各洗浄剤組成物を温度２５℃に調温した後に、フォーマー容器より吐出した泡をひじの内側に乗せ、手のひらで手首に向かって前腕内側の上に泡を伸ばす際の力のかかり具合を泡のすべり性として、下記評価基準に基づいて官能評価を行なった。官能評価の基準は以下のとおりである。
◎：  １０人の評価の合計点が２５点以上であり、かつ１点の評価をしたパネラーが全くいない場合
○：  １０人の評価の合計点が２０点以上であり、かつ１点の評価をしたパネラーが１人または２人の場合
△：  １０人の評価の合計点が２０点以上であり、かつ１点の評価をしたパネラーが3人以上の場合
×：  １０人の評価の合計点が２０点未満の場合
３：伸ばしやすく、すべり性が良い
２：やや伸ばしにくく、すべり性が悪い
１：伸ばしている間に泡が消える
【００３１】
【表１】
2018080279.tif 000003
【００３２】
【表２】
2018080279.tif 000004
【００３３】
【表３】
2018080279.tif 000005
【００３４】
実施例１〜５では、泡のクリーミーさ、泡の塗り広げやすさ、すべり性がともに良好であった。
【００３５】
比較例１では、成分（Ｂ）が含まれておらず、泡のクリーミーさ、泡の塗り広げやすさ、すべり性いずれも不十分であった。
比較例２では、成分（Ｃ）が含まれておらず、すべり性が不十分であった。
比較例３では、成分（Ｂ）のエチレンオキシドの平均付加モル数が６０モル未満であるため、泡のクリーミーさ、泡の塗り広げやすさ、すべり性がいずれも不十分であった。
比較例４では、成分（Ｂ）がラウリン酸エステルではないため、泡のクリーミーさ、泡の塗り広げやすさ、すべり性がいずれも不十分であった。
【００３６】
比較例５では、成分（Ｃ）ではなく、２−メタクリロイルオキシエチルホスホリルコリンのホモポリマーを用いているため、すべり性が不十分であった。
比較例６では、成分（Ｂ）の含有量が１０質量％を超えており、泡の塗り広げやすさ、すべり性が不十分であった